(57)【特許請求の範囲】
【請求項１】
パチンコ球の通過を検出して第１信号を出力可能な近接センサと、
供給された交流電源を整流して直流電源を生成して出力する電源基板と、
グランドがアナログ信号用グランドとデジタル信号用グランドとに分離され、前記電源基板により生成された直流電源を用いて遊技機の動作を制御するメイン制御基板とを備えた遊技機において、
前記メイン制御基板は、
前記アナログ信号用グランドと前記デジタル信号用グランドとの間に設けられ、前記アナログ信号用グランドから前記デジタル信号用グランドへのノイズの侵入を抑制するためのコイルと、
前記アナログ信号用グランドと電気的に接続され前記近接センサから出力された前記第１信号を加工してノイズを除去する回路、および前記デジタル信号用グランドと電気的に接続されノイズが除去された信号を予め設定された閾値と比較することによりハイレベル信号またはローレベル信号を第２信号として出力する回路を含むインタフェース回路と、
前記デジタル信号用グランドと電気的に接続され、前記インタフェース回路によって加工された第２信号に基づいて制御を行うＣＰＵと、
前記デジタル信号用グランドと電気的に接続されるとともに前記インタフェース回路と前記ＣＰＵとの間に介在させ、前記アナログ信号用グランドと前記デジタル信号用グランドとの間に一時的に生じた電位差により発生し、前記第２信号として誤って判断される可能性がある信号を除去するフィルタ手段を有する遊技機。
【発明の詳細な説明】
【０００１】
【発明の属する技術分野】
本発明は遊技機に関し、制御手段の誤動作を防止する技術に関する。
【０００２】
【従来の技術】
例えばパチンコ機では、遊技状態の変化を把握するためにパチンコ球の通過を検出する検出器が不可欠である。当該検出器が出力した信号を受けて、メイン制御基板に備えたＣＰＵ回路はパチンコ遊技を制御している。メイン制御基板の中には、アナログ信号とデジタル信号では信号処理の方法が異なったり、互いの信号に影響し合わないようにグランドを分離しているものがある。すなわち、アナログ信号用のグランドとデジタル信号用のグランドとを別個に備える。
【０００３】
【発明が解決しようとする課題】
ところで、一般の遊技場では様々の要因によってノイズが氾濫している。当該ノイズ（特に高周波ノイズ）が例えばメイン制御基板に侵入すると、その侵入経路に応じてアナログ信号用のグランドまたはデジタル信号用のグランドの一方または双方でパターンのインダクタンス成分等の影響により基準電位が変化し、双方のグランド間に電位差が生じ得る。双方のグランドを基準に検出器からの信号を伝達する場合、その電位差が一時的にＣＰＵ回路の閾値（スレショルド値;threshold）を超えると誤信号となり、検出器からは信号を出力していないにもかかわらず、ＣＰＵ回路は信号を入力したと判断して誤動作する可能性がある。こうした状況は、アナログ信号用のグランドに比較的大きな電流が流れる等のようなケースでも同様である。
本発明はこのような点に鑑みてなしたものであり、グランド間で一時的に生じた電位差に基づく誤信号を排除する等によって当該制御手段の誤動作を防止した遊技機を提供することを目的とする。
【０００４】
【課題を解決するための手段１】
課題を解決するための手段１は、第１グランドと、第２グランドと、前記第１グランドと電気的に接続し信号線を通じて入力した第１信号を加工する信号加工手段と、前記第２グランドと電気的に接続し前記信号加工手段によって加工された第２信号に基づいて制御を行う制御手段とを備えた遊技機において、前記第２グランドと電気的に接続するとともに前記信号加工手段と前記制御手段との間に介在させ、前記第２信号が所定の条件を満たすときにのみ前記制御手段に伝達するフィルタ手段を有する遊技機である。ここで、解決手段１に記載した用語については以下のように解釈する。当該解釈は他の解決手段および発明の詳細な説明についても同様である。
（１）「制御手段」は基板上に形成可能な任意の制御手段を意味し、一以上の素子によって構成する。例えばＣＰＵ回路やインタフェース回路等が該当する。なお「基板」はメイン制御基板，表示制御基板，音制御基板，ランプ制御基板，賞球制御基板，接続基板等のように遊技機内に設置可能な基板が該当する。
（２）「所定の条件」は遊技機の種類，日時，遊技状態等に応じて適切に設定可能な条件を意味する。例えば信号が所定値や所定期間に達したり、上回ったり、下回ったりする条件等が該当する。
【０００５】
当該手段１によれば図１に模式的に示すように、遊技機１は第１グランドＧａと、第２グランドＧｂと、当該第２グランドＧｂと電気的に接続し信号線５を通じて入力した第１信号Ｓａを加工する信号加工手段６と、第２グランドＧｂと電気的に接続し信号加工手段６によって加工された第２信号Ｓｂに基づいて制御を行う制御手段３と、第２グランドＧｂと電気的に接続するとともに信号加工手段６と制御手段３との間に介在させ第２信号Ｓｂが所定の条件を満たすときにのみ制御手段３に伝達するフィルタ手段７とを備える。グランドを第１グランドＧａと第２グランドＧｂに分離し、しかも制御手段３を第２グランドＧｂと電気的に接続している。例えば何らかの要因によって、第１グランドＧａと第２グランドＧｂとの間で一時的に電位差Ｖｇが生ずると第２信号Ｓｂが誤信号になり得る。フィルタ手段７は第２信号Ｓｂが誤信号とならない条件の下で（所定の条件を満たすとき）、第２信号Ｓｂを制御手段３に伝達する。このようにフィルタ手段７を備えたことにより、制御手段３の誤動作を防止することができる。
【０００６】
【課題を解決するための手段２】
課題を解決するための手段２は、第１信号を出力可能な検出器と、第１グランドと、第２グランドと、前記第１グランドと電気的に接続し前記第１信号を加工してノイズを除去する信号加工手段と、前記第２グランドと電気的に接続し前記信号加工手段によって加工された第２信号に基づいて制御を行う制御手段とを備えた遊技機において、前記第２グランドと電気的に接続するとともに前記信号加工手段と前記制御手段との間に介在させ、前記第２信号が所定の条件を満たすときにのみ前記制御手段に伝達するフィルタ手段を有する遊技機である。当該手段２によれば、遊技機１は第１信号Ｓａを出力可能な検出器４と、第１グランドＧａと、第２グランドＧｂと、当該第２グランドＧｂと電気的に接続し第１信号Ｓａを加工してノイズＮを除去する信号加工手段６と、第２グランドＧｂと電気的に接続し信号加工手段６によって加工された第２信号Ｓｂに基づいて制御を行う制御手段３と、第２グランドＧｂと電気的に接続するとともに信号加工手段６と制御手段３との間に介在させ第２信号Ｓｂが所定の条件を満たすときにのみ制御手段３に伝達するフィルタ手段７とを備える。上記手段１と同様にフィルタ手段７は第２信号Ｓｂが誤信号とならない条件の下で、第２信号Ｓｂを制御手段３に伝達する。このようにフィルタ手段７を備えたことにより、制御手段３の誤動作を防止することができる。
【０００７】
【発明の実施の形態】
以下、本発明における実施の形態を図面に基づいて説明する。本実施の形態は遊技機の一つであるパチンコ機に本発明を適用した例であって、図２〜図４を参照しながら説明する。なお、パチンコ機の正面側（遊技者が遊技する側）は本発明の要旨と直接は関係しないので図示および説明を省略する。また、単に「接続」という場合には、特に明示しない限り電気的な接続を意味する。さらに、単に「基板」という場合には、パチンコ機に備えた少なくとも一つの基板を意味する。そして、基準電位は例えば０ボルトとするが、任意の電位であってもよい。
【０００８】
まず背面側におけるパチンコ機１０の概略構成について、図２を参照しながら説明する。ベース枠の背面側に組み付けた支持枠体１４は、遊技盤を取付可能に構成する。当該遊技盤を支持枠体１４に取り付けた状態で当該遊技盤の背面側から裏セット部材１９を装着し、裏セット部材１９を複数個の締付具１２で締め付けて遊技盤を固定する。当該裏セット部材１９はベース枠に対して開閉可能に構成し、裏カバー１７，球タンク４２，誘導樋４０，発射制御装置２５等を備える。よって遊技盤は裏セット部材１９を開閉することで着脱や交換等ができる。
【０００９】
裏カバー１７は、羽根，回転体，キャラクタ等の可動体を備えた役物装置（センター役物）や、液晶表示器等に図柄等の表示を制御する表示制御基板１５等を背面側からカバーする。さらに裏カバー１７の背面側には、パチンコ機１０のほぼ全体を制御するメイン制御基板１８や、装飾用ランプ等の点灯・点滅を制御するランプ制御基板１６、スピーカから出す音を制御する音制御基板３０等を備える。配送されてきたパチンコ球は球タンク４２に一時的に貯留した後、誘導樋４０を経て払出装置２８に送り出す。当該払出装置２８は上記メイン制御基板１８から伝達された払出指令を受けて、所要個数のパチンコ球を正面側に備えた上皿や下皿に払い出す。発射制御装置２５が発射モータ２２の作動を制御して発射部材２０を往復運動させることにより、上皿から供給されたパチンコ球を遊技盤の遊技領域内に打ち出す。発射部材２０によってパチンコ球を発射する強度は、強度調整機構２４によって調整可能である。発射モータ２２，発射部材２０，強度調整機構２４はベース枠に備える。発射モータ２２には例えばサーボモータを用いるが、パルスモータ等のような他種のモータを用いてもよい。払出装置２８の正面側（図２では図面裏側）には、メイン制御基板１８から伝達された信号を受けて払出装置２８等の作動を制御する賞球制御基板２７を備える。
その他、電源コード３２から供給された電力を各装置に分配するべく配電盤３６内に備えた電源基板３４と、ランプ制御基板１６と音制御基板３０との間に備えた接続基板３８と、払出装置２８の下方に備えた接続基板２６とを有する。
【００１０】
次に、電源基板３４とメイン制御基板１８の構成について図３を参照しながら説明する。まず電源基板３４は、交流電源ＡＣ（例えば２４ボルト）に含まれるノイズを除去するノイズフィルタ５０と、そのノイズフィルタ５０によってノイズが除去された交流をダイオードブリッジで全波整流して生じた脈流を平滑化するコンデンサＣ２と、ダイオードＤ２で整流した電圧を入力して第１電圧Ｖｃ（例えば５ボルト）で安定化して出力する安定化電源回路５２と、その第１電圧ＶｃをダイオードＤ６を介して蓄電し第２電圧Ｖｂ（例えば５ボルト）を出力するコンデンサＣ４と、当該コンデンサＣ４で蓄電した電力の逆流を防止するダイオードＤ６と、ダイオードＤ４で整流した電圧を入力して第３電圧Ｖｄ（例えば１２ボルト）で安定化して出力する安定化電源回路５４と、その第３電圧Ｖｄをさらに平滑化して出力するコンデンサＣ６などを有する。
なお、第１電圧Ｖｃ，第２電圧Ｖｂ，第３電圧Ｖｄ等は、グランドＧ２，Ｇ４，Ｇ６等を基準電位とした相対的な電位差である。
【００１１】
安定化電源回路５２，５４の両グランド端子（ＧＮＤ）や、コンデンサＣ４の一端子（ダイオードＤ６と接続する側と反対側）は、いずれもグランドＧ２に共通して接続する。ノイズフィルタ５０の入力端と出力端の双方には、静電気や落雷等によるサージエネルギー（Surge Energy）を吸収可能なサージ吸収素子を接続する。交流電源ＡＣの一方側はアレスタＡＲを介して接地するための枠接地端子ＦＧに接続する。アレスタＡＲは、二つの電極間に微小ギャップを設けるとともに流体（気体または液体）を封入した放電管（素子）であって、サージ吸収素子と同様に上記サージエネルギーを放電する機能を有する。ダイオードブリッジとダイオードＤ２との間には、電源投入時に生じ得る突入電流を防止するパワーサーミスタＮＴＣ（Negative Temparature Coefficient）を備えた。
【００１２】
次にメイン制御基板１８は、電源基板３４との間を接続するケーブルＪ２，Ｊ４，Ｊ６に入ったノイズＮの侵入をそれぞれ阻止可能なチョークコイル６０（ノイズ阻止手段）や、第１電圧Ｖｃまたは第２電圧Ｖｂを受けて作動可能なＣＰＵ回路６２、ケーブルＪ１０に侵入したノイズＮを信号加工によって除去する信号加工回路７２、当該信号加工回路７２から出力された信号のレベルを調整して出力するレベル調整回路７４、グランドＧ４とグランドＧ６との間で一時的に生じた電位差Ｖｇに基づく誤信号を除去するフィルタ回路７６、レベル調整回路７４からフィルタ回路７６を通じて出力された信号を反転して出力するインバータ回路（否定論理回路）６４，６６などを有する。
なお、電位差Ｖｇが誤信号となるのは、当該電位差Ｖｇが一時的に閾値を超える場合である。また、第３電圧Ｖｄは電源基板３４との間を接続するケーブルＪ８から供給される。当該第３電圧ＶｄはさらにケーブルＪ１０を介して検出器７０に供給する。当該検出器７０には、接触型センサ（例えばスイッチ，ボタン，タッチパネル，圧力センサ等）や、非接触型センサ（例えば近接センサ，光センサ，赤外線センサ等）を用いる。さらに、表示制御基板１５等の基板に所要の信号を伝達するインタフェース回路や、大入賞口に備えた開閉蓋を開閉するソレノイドの作動を制御する能動素子等は図示を省略している。
【００１３】
コイルＬ１０，Ｌ１２，Ｌ１４を備えたチョークコイル６０には、当該コイルＬ１０，Ｌ１２，Ｌ１４を一緒に撚り合わせたコモンモード・チョークコイルを用いるのが望ましい。複数のコイルを撚り合わせると、同位相で通過するノイズ（電流）の増減に従って発生する逆起電力を互いに打ち消し合うため、当該ノイズを効率良く除去することができる。また、コイルＬ１０，Ｌ１２，Ｌ１４は通過する信号の周波数が高くなるにつれてインピーダンスが高くなる性質があるため、ローパスフィルタとして作用する。したがって、コイルＬ１０，Ｌ１２，Ｌ１４はケーブルＪ２，Ｊ４，Ｊ６に侵入したノイズＮ（特に高周波成分）を除去してＣＰＵ回路６２に侵入するのを阻止することができる。
なお、コモンモード・チョークコイルを基板上に配置する場合には、コモンモード・チョークコイルの近傍や直下（多層基板では他の層を含む）にはグランドや信号線等の配線パターンを引かないように基板のアートワーク設計（パターン設計）するのが望ましい。こうすれば、コモンモード・チョークコイルと配線パターンとの間に生じる浮遊容量を通じて、ノイズＮがコモンモード・チョークコイルから配線パターンに移転するのを防止できる。
【００１４】
ケーブルＪ２は安定化電源回路５２の電圧出力端子（Ｖcc）とコイルＬ１０との間を接続し、安定化電源回路５２のグランド端子（ＧＮＤ）とコイルＬ１２との間を接続したケーブルＪ４と合わせて、メイン制御基板１８に第１電圧Ｖｃを供給する。ケーブルＪ４は電源基板３４のグランドＧ２と、メイン制御基板１８のグランドＧ４とを接続する。ケーブルＪ６はダイオードＤ６とコンデンサＣ４との接続点とコイルＬ１４との間を接続し、ケーブルＪ４と合わせてメイン制御基板１８に第２電圧Ｖｂを供給する。ケーブルＪ８はダイオードＤ４とコンデンサＣ４との接続点から第３電圧Ｖｄをメイン制御基板１８に供給する。
【００１５】
ＣＰＵ回路６２はパチンコ機１０で行うパチンコ遊技を実現するために、ＣＰＵ，ＲＯＭ，入出力回路等のほか、所要のデータを記憶可能なＲＡＭ６８を備える。このＣＰＵ回路６２のグランド端子（ＧＮＤ）はグランドＧ６に接続し、第１電圧Ｖｃの供給を電圧入力端子（Ｖcc）で受けると全ての素子や回路が作動するが、第２電圧Ｖｂのみ供給を電圧入力端子（Ｖbb）で受ける場合にはＲＡＭ６８に記憶した所要のデータを保持可能に作動する。ＲＡＭ６８には例えばＳＲＡＭを用いるが、他種のメモリ（ＥＥＰＲＯＭ，フラッシュメモリ等）を用いてもよい。上述した所要のデータには、例えば各種の乱数（例えば大当たり判定用乱数や大当たり図柄用乱数，リーチパターン乱数等）、ラウンド回数（現在のラウンド回数や最終のラウンド回数等）、保留球数（ゲート用と始動口用等）、確率変動か否かを示す確率変動データなどがある。
【００１６】
信号加工手段６に相当する信号加工回路７２は、例えば抵抗Ｒ１０，Ｒ１２とコンデンサＣ１０とによって構成する。このうち、抵抗Ｒ１０と抵抗Ｒ１２は第３電圧Ｖｄを分圧する機能を果たし、抵抗Ｒ１０とコンデンサＣ１０とからなる積分回路はインパルス状のノイズＮや、機械的に作動する検出器７０を用いた場合にはスイッチングの際に発生し得るチャタリング状のノイズＮを除去する機能を果たす。抵抗Ｒ１２とコンデンサＣ１０は並列接続し、各々の一端側をグランドＧ４に共通して接続する。また積分回路によって出力信号が入力信号と同じレベルになるのは、信号が立ち上がってから時定数（＝Ｒ１０×Ｃ１０）を経た後である。この時定数は、ノイズＮが一時的に閾値を超える期間（実測値では１０マイクロ秒間程度）よりも長くなるように設定される。よって検出器７０やケーブルＪ１０を通じて侵入したノイズＮをグランドＧ４に逃がして除去できる。
【００１７】
レベル調整回路７４は、例えば抵抗Ｒ１４とバッファ回路７８とによって構成する。このうち、抵抗Ｒ１４は許容入力電力を超える電力（電圧，電流）がバッファ回路７８に入力されるのを防止する機能を果たし、バッファ回路７８は閾値を超えるか否かでハイレベル信号またはローレベル信号を出力する機能を果たす。なおバッファ回路７８には、例えば東芝株式会社製の高速ＣＭＯＳバッファとして型番ＴＣ７４ＨＣ４０５０等を用いるのが望ましい。
【００１８】
フィルタ手段７に相当するフィルタ回路７６は、例えば抵抗Ｒ１６とコンデンサＣ１２とからなる積分回路によって構成し、レベル調整回路７４から出力された信号を所定の関数曲線に従って変化させる。当該フィルタ回路７６によって出力信号が入力信号と同じレベルになるのは、信号が立ち上がってから時定数（＝Ｒ１６×Ｃ１２）を経た後である。この時定数は、電位差Ｖｇが一時的に閾値を超える期間（実測値では１ミリ秒間程度）よりも長くなるように設定される。言い換えれば、電位差Ｖｇが一時的に閾値を超える期間が時定数よりも長くなるのは意図的に電位差が生ずる場合である。フィルタ回路７６から出力する信号は、直列に接続したインバータ回路６４，６６を通じてＣＰＵ回路６２の入力端子Ｄｘに入力する。したがって、フィルタ回路７６から出力する信号が閾値を超えるか否かによって、当該ＣＰＵ回路６２はハイレベル信号またはローレベル信号として認識することになる。
【００１９】
上述のように構成したパチンコ機１０において、グランドＧ４とグランドＧ６との間で一時的に生じた電位差Ｖｇに基づく誤信号を除去する処理過程を図４（Ａ）に示し、ケーブルＪ１０を通じてメイン制御基板１８に入ったノイズＮを除去する処理過程を図４（Ｂ）に示す。当該図４において、信号Ｓ４はケーブルＪ１０を通じて信号加工回路７２に入力される信号であって検出器７０から出力された信号でもあり（図３の位置Ｐ４）、信号Ｓ６はレベル調整回路７４に入力される信号であり（図３の位置Ｐ６）、信号Ｓ８はフィルタ回路７６に入力される信号であり（図３の位置Ｐ８）、信号Ｓ２は当該フィルタ回路７６から出力される信号であり（図３の位置Ｐ２）、信号ＳｄはＣＰＵ回路６２の入力端子Ｄｘに入力される信号である。
【００２０】
図４（Ａ）において、信号Ｓ４が無信号状態のとき、何らかの要因によってグランドＧ４とグランドＧ６との間で一時的に電位差Ｖｇが生じたとする。何らかの要因としては、例えばケーブルＪ１０やケーブルＪ４等を通じて（あるいは直接に）ノイズＮがグランドＧ４，Ｇ６に侵入したり、モータ等の外部機器で生じた比較的大きな電流がグランドＧ４に流れ込むなどが該当する。
信号加工回路７２とレベル調整回路７４とで接続するグランドが異なるので、例えばグランドＧ４の基準電位が高くてグランドＧ６の基準電位が低いと信号Ｓ６が変化してしまう。すなわち信号Ｓ６がハイレベル側の閾値ＴＨを超えた時刻ｔ１０から、当該信号Ｓ６がローレベル側の閾値ＴＬを下回る時刻ｔ１２まで、レベル調整回路７４はパルスとして信号Ｓ８を出力する。ところが信号Ｓ８のパルスは上述した設定によって時定数よりも短いので、フィルタ回路７６はハイレベル側の閾値ＴＨを超えない信号Ｓ２を出力する。当該信号Ｓ２の変化成分はインバータ回路６４，６６によって排除され、入力端子Ｄｘに入力される信号Ｓｄは無信号になる。こうしてグランドＧ４とグランドＧ６との間で一時的に誤信号となり得るような電位差Ｖｇが生じた場合でもフィルタ回路７６によって排除（除去）するので、ＣＰＵ回路６２の誤動作を防止することができる。
【００２１】
図４（Ｂ）において、ケーブルＪ１０を通じてノイズＮが信号Ｓ４として入力されたとき、ノイズＮを信号加工回路７２の積分回路を通じてグランドＧ４に逃がす。その結果、信号加工回路７２から出力される信号は信号Ｓ６のような波形になる。すなわち信号Ｓ６はハイレベル側の閾値ＴＨを超えないので、レベル調整回路７４が出力する信号Ｓ８は無信号になる。したがって、ケーブルＪ１０を通じてノイズＮが入ってきた場合でも、ＣＰＵ回路６２の誤動作を防止することができる。なおノイズＮをグランドＧ４に逃がした結果、電位差Ｖｇに基づく誤信号が発生しても、上述したようにフィルタ回路７６が当該誤信号を除去するので問題はない。
【００２２】
上述した実施の形態によれば、以下に示す効果を得ることができる。
（ａ１）図３を参照すると、メイン制御基板１８上ではグランドをグランドＧ４（第１グランドＧａ）とグランドＧ６（第２グランドＧｂ）に分離しており、しかもＣＰＵ回路６２（制御手段３）をグランドＧ６と接続している。ケーブルＪ１０を通じて入力された信号Ｓ４（言い換えれば検出器７０から出力された信号；第１信号Ｓａ）は、信号加工回路７２によってノイズＮを除去し、レベル調整回路７４によって信号レベルを調整した信号Ｓ８（第２信号Ｓｂ）となる。一方、何らかの要因によってグランドＧ４とグランドＧ６との間で一時的に電位差Ｖｇが生じ、当該電位差Ｖｇがハイレベル側の閾値ＴＨを超えるとＣＰＵ回路６２にとっては誤信号になる。フィルタ回路７６（フィルタ手段７）は信号Ｓ８（第２信号Ｓｂ）が誤信号とならない条件の下で（所定の条件を満たすとき）、信号Ｓ８をＣＰＵ回路６２に伝達する。このようにフィルタ回路７６を備えたことにより、ＣＰＵ回路６２の誤動作を防止することができる。
【００２３】
（ａ２）従来ではグランドＧ４とグランドＧ６とを分離せず、共通のグランドとしていた。そのため、信号加工回路７２によってノイズＮをグランドに逃がすと、当該グランドを通じてＣＰＵ回路６２に侵入し、結果としてＣＰＵ回路６２を誤動作させていた。そこで図３に示すように、共通のグランドをグランドＧ４とグランドＧ６とに分離するとともに、グランドＧ４とグランドＧ６との間にコイルＬ１２（ノイズ抑制手段２）を介在させる構成とした。この構成によればグランドＧ４にノイズＮを逃がした場合でもコイルＬ１２がグランドＧ６への侵入を抑制するので、ＣＰＵ回路６２の動作を安定させることができる。また、ノイズＮの侵入を抑制する点を除けばグランドＧ４とグランドＧ６は接続されるので、通常の場合にはグランドの基準電位が同電位になってメイン制御基板１８全体の動作を安定させることができる。
【００２４】
（ａ３）グランドＧ４と接続した信号加工手段６は、ケーブルＪ１０（信号線５）に侵入したノイズＮを信号加工により除去してグランドＧ４に逃がす。よってノイズＮはＣＰＵ回路６２に侵入し得ないので、ＣＰＵ回路６２の誤動作を防止することができる。なお、ノイズＮをグランドＧ４に逃がすと電位差Ｖｇに基づく誤信号が発生する可能性があるが、当該誤信号はフィルタ回路７６によって除去される。また、ケーブルＪ４から侵入するノイズＮがコイルＬ１２によって抑制される時、グランドＧ４とグランドＧ６との間に電位差が生じ、レベル調整回路７４から誤信号が出力される場合がある。当該誤信号はフィルタ回路７６によって除去されるので、ＣＰＵ回路６２は誤動作しない。
【００２５】
〔他の実施の形態〕
上述したパチンコ機１０（遊技機）において、他の部分の構造，形状，大きさ，材質，配置および動作条件等については、上記実施の形態には限定されない。例えば、以下に示す形態（ｂ１）〜（ｂ６）を各々実施することもできる。
（ｂ１）上記実施の形態では、パチンコ機１０に本発明を適用した。この形態に代えて、パチンコ機以外の他の遊技機（例えばスロットマシン，アレンジボール機，雀球遊技機，テレビゲーム機等）であって、第１グランドＧａ，第２グランドＧｂ，制御手段３を備えたものにも同様に本発明を適用できる。当該他の遊技機でも第１グランドＧａと第２グランドＧｂとの間で一時的に生じた電位差Ｖｇに基づく誤信号を除去するので、制御手段３の誤動作を防止できる。
【００２６】
（ｂ２）上記実施の形態では、グランドＧ４とグランドＧ６との間に介在させてノイズＮを侵入を抑制するコイルＬ１２をメイン制御基板１８に備えた｛図３を参照｝。この形態に代えて、当該コイルＬ１２を他の装置や基板等に備えてもよい。図５に示す例ではコイルＬ１２を電源基板３４に備える。コイルＬ１２はグランドＧ２（グランドＧ４に代わる）とグランドＧ６との間に介在させ、コイルＬ１２とグランドＧ６との間はケーブルＪ１２によって接続している。こうすれば、交流電源ＡＣを通じて侵入しようとするノイズを抑制することができる。
【００２７】
（ｂ３）上記実施の形態では、フィルタ回路７６として抵抗Ｒ１６とコンデンサＣ１２とからなる一次フィルタや、インバータ回路６４，６６等を用いた｛図３を参照｝。この形態に代えて、図６に示す他のフィルタ等を用いてもよい。
まず図６（Ａ）には、一次フィルタに代えて二次フィルタを用いた例を示す。当該二次フィルタは、演算増幅器８０、抵抗Ｒ２０，Ｒ２２およびコンデンサＣ２０，Ｃ２２によって構成する。すなわち演算増幅器８０の一方側の入力端は、直列接続した抵抗Ｒ２０，Ｒ２２に接続するとともに、並列してコンデンサＣ２２を通じてグランドＧ６に接続する。また、抵抗Ｒ２０と抵抗Ｒ２２の接続点をコンデンサＣ２２を通じて他方の入力端に接続するとともに、当該入力端を出力端に接続する。二次フィルタは高周波成分を効率良く除去するので、電位差Ｖｇに基づく短パルスの誤信号を除去することができる。
【００２８】
また図６（Ｂ）には、インバータ回路６４，６６に代えてシュミット・トリガ回路８２を用いた例を示す。当該シュミット・トリガ回路８２は、上部トリガ電位（上記閾値ＴＨに相当）と下部トリガ電位（上記閾値ＴＬに相当）とを用いてヒステリシスループを形成可能な回路であって、例えば東芝株式会社製のシュミット・トリガ・インバータとして型番ＴＣ７４ＨＣ１４等を用いるのが望ましい。シュミット・トリガ回路８２は入力信号がゆるやかな場合でも、ヒステリシス特定により、フィルタ回路７６から出力された信号Ｓ２を的確にＣＰＵ回路６２に伝達することができる。
さらに図６（Ｃ）には、インバータ回路６４，６６に代えてスリーステートバッファ（Three State Buffer）回路８４およびデコーダ８６を用いた例を示す。スリーステートバッファ回路８４は入力端子および出力端子とは別個に制御端子を備えており、当該制御端子にはＣＰＵ回路６２から所定の信号を入力させることにより出力をハイ・インピーダンス状態にすることができる。当該スリーステートバッファ回路８４には、例えば上述した型番ＴＣ７４ＨＣ２４０等を用いるのが望ましい。この回路構成によれば、誤信号を除去しながらも短い周期で入力される信号を確実にＣＰＵ回路６２に伝達することができる。
【００２９】
（ｂ４）上記実施の形態では、制御手段３としてＣＰＵ回路６２を適用した｛図３を参照｝。この形態に代えて、制御手段３としてインタフェース回路，リセット回路，発振回路等のように基板上に形成可能な任意の回路を適用してもよい。また、ＣＰＵ回路６２（制御手段３）を備える基板にはメイン制御基板１８に限らず、表示制御基板１５，音制御基板３０，ランプ制御基板１６，賞球制御基板２７，接続基板３８等のようにパチンコ機１０内に設置可能な任意の基板を適用してもよい。これらの回路や基板等を適用した場合でもノイズＮからＣＰＵ回路６２を保護するので、当該ＣＰＵ回路６２の動作を安定させることができる。
【００３０】
（ｂ５）上記実施の形態では、グランドＧ４とグランドＧ６との間にコイルＬ１２を介在させる構成をメイン制御基板１８で実現した｛図３を参照｝。この形態に代えて、グランドＧ４とグランドＧ６との間にコイルＬ１２を介在させる構成を他の基板（図３の例では電源基板３４）で実現してもよい。すなわち、同一基板内でグランドＧ４とグランドＧ６との間にコイルＬ１２を介在させる必要はない。この場合には、他の基板とグランドＧ６との間を接続するケーブルが必要になる。また、ノイズ抑制手段２として適用するのはコイルＬ１２に限らず、抵抗器やコンデンサ等の素子あるいはノイズＮを抑制可能な任意の回路を適用してもよい。これらの基板，素子，回路を適用した場合でもノイズＮから制御手段を保護するので、当該制御手段の動作を安定させることができる。
【００３１】
（ｂ６）上記実施の形態では、抵抗Ｒ１０，Ｒ１２とコンデンサＣ１０とによって信号加工回路７２を構成し、抵抗Ｒ１４とバッファ回路７８とによってレベル調整回路７４を構成し、抵抗Ｒ１６とコンデンサＣ１２とによってフィルタ回路７６を構成した｛図３を参照｝。この形態に代えて、ノイズＮをグランドＧ４に逃がして除去することが可能であれば、任意の素子を用いて信号加工回路７２を構成してもよい。また、入力した信号のレベルを調整して出力することが可能であれば、任意の素子を用いてレベル調整回路７４を構成してもよい。さらに、入力した信号が所定条件を満たすときに当該信号を出力することが可能であれば、任意の素子を用いてフィルタ回路７６を構成してもよい。これらの回路を適用した場合でもノイズＮから制御手段を保護するので、当該制御手段の動作を安定させることができる。
【００３２】
【他の発明の態様】
以上、本発明の実施の形態について説明したが、この実施の形態には特許請求の範囲に記載した発明の態様のみならず他の発明の態様を有するものである。この発明の態様を以下に列挙するとともに、必要に応じて関連説明を行う。
【００３３】
〔態様１〕  第１グランドと、第２グランドと、前記第２グランドと電気的に接続し信号線を通じて入力する入力信号に基づいて制御を行う制御手段とを備えた遊技機において、
前記第２グランドと電気的に接続するとともに前記信号線と前記制御手段との間に介在させ、前記第１グランドと前記第２グランドとの間で一時的に生じた電位差に基づく誤信号を除去するフィルタ手段を有する遊技機。
〔態様１の関連説明〕  本態様によれば図１に模式的に示すように、遊技機１には第１グランドＧａと、第２グランドＧｂと、当該第２グランドＧｂと電気的に接続し信号線５を通じて入力する第１信号Ｓａに基づいて制御を行う制御手段３と、第２グランドＧｂと電気的に接続するとともに信号線５と制御手段３との間に介在させ第１グランドＧａと第２グランドＧｂとの間で一時的に生じた電位差Ｖｇに基づく誤信号を除去するフィルタ手段７とを備える。グランドを第１グランドＧａと第２グランドＧｂに分離し、しかも制御手段３を第２グランドＧｂと電気的に接続している。何らかの要因によって第１グランドＧａと第２グランドＧｂとの間で一時的に電位差Ｖｇが生じた場合でも、フィルタ手段７が当該電位差Ｖｇに基づく誤信号を除去するので、制御手段３の誤動作を防止することができる。よって、制御手段３の動作を安定させ得る。
【００３４】
〔態様２〕  態様１に記載した遊技機において、第１グランドと第２グランドとの間に介在させ、ノイズの侵入を抑制可能なノイズ抑制手段を有する遊技機。〔態様２の関連説明〕  本態様によれば、遊技機１には第１グランドＧａと第２グランドＧｂとの間に介在させ、ノイズＮの侵入を抑制可能なノイズ抑制手段２を備える。従来のように第１グランドＧａと第２グランドＧｂとを直接に接続した共通のグランドとすると、当該グランドに逃がしたノイズＮが制御手段３に侵入し、結果として制御手段３を誤動作させる可能性がある。そこで、第１グランドＧａと第２グランドＧｂとを分離し、かつ両グランドの間にノイズ抑制手段２を介在させた。こうすれば第１グランドＧａにノイズＮを逃がした場合であってもノイズ抑制手段２が第２グランドＧｂへの侵入を抑制するので、制御手段３の動作を安定させることができる。なお、ノイズＮの侵入を抑制する点を除けば第１グランドＧａと第２グランドＧｂは電気的に接続されるので、通常の場合には基準電位が同電位になって遊技機１全体の動作を安定させることができる。
【００３５】
〔態様３〕  態様１または２に記載した遊技機において、第１グランドと電気的に接続し、信号線に侵入したノイズを加工してを除去する信号加工手段を有する遊技機。
〔態様３の関連説明〕  本態様によれば、遊技機１には第１グランドＧａと電気的に接続し、信号線５に侵入したノイズＮを加工してを除去する信号加工手段６を備える。すなわち、信号加工手段６はノイズＮを第１グランドＧａに逃がして除去する。第１信号Ｓａの有無にかかわらず、電位差Ｖｇに基づく誤信号以外に制御手段３が誤動作するのは信号線５に侵入したノイズＮを受信した場合である。よって信号加工手段６がノイズＮを第１グランドＧａに逃がせば、制御手段３の誤動作を防止することができる。ノイズＮを第１グランドＧａに逃がすと電位差Ｖｇに基づく誤信号が発生し得るが、当該誤信号はフィルタ手段７によって除去されるので問題はない。
【００３６】
【発明の効果】
本発明によれば、第１グランドと第２グランドとの間で一時的に電位差が生じた場合でも、フィルタ手段が当該電位差に基づく誤信号を除去するので、制御手段の誤動作を防止することができる。
【図面の簡単な説明】
【図１】本発明の概要を模式的に示す図である。
【図２】パチンコ機の外観を示す背面図である。
【図３】電源基板とメイン制御基板との構成例を示す図である。
【図４】誤信号とノイズの処理過程を示すタイムチャートである。
【図５】電源基板とメイン制御基板とにかかる他の構成例を示す図である。
【図６】フィルタ回路にかかる他の構成例を示す図である。
【符号の説明】
１  遊技機
２  ノイズ抑制手段
３  制御手段
４  検出器
５  信号線
６  信号加工手段
７  フィルタ手段
Ｇａ  第１グランド
Ｇｂ  第２グランド
Ｓａ  第１信号
Ｓｂ  第２信号
Ｖｇ  電位差
１０  パチンコ機（遊技機）
１５  表示制御基板
１６  ランプ制御基板
１８  メイン制御基板
２５  発射制御装置
２６  接続基板
２７  賞球制御基板
２８  払出装置
３０  音制御基板
３４  電源基板
３６  配電盤
３８  接続基板
５２，５４  安定化電源回路
６０  チョークコイル（ノイズ抑制手段）
６２  ＣＰＵ回路（制御手段）
６４，６６  インバータ回路
６８  ＲＡＭ（記憶部）
７０  検出器
７２  信号加工回路（信号加工手段）
７４  レベル調整回路（レベル調整手段）
７６  フィルタ回路（フィルタ手段）
７８  バッファ回路
８０  演算増幅器（フィルタ手段）
８２  シュミット・トリガ回路（フィルタ手段）
８４  スリーステートバッファ（フィルタ手段）
８６  デコーダ（フィルタ手段）
Ｇ４  グランド（第１グランド）
Ｇ６  グランド（第２グランド）
Ｌ１０，Ｌ１２，Ｌ１４  コイル（ノイズ抑制手段）
【図１】
0004512756.tif 000002
【図２】
0004512756.tif 000003
【図３】
0004512756.tif 000004
【図４】
0004512756.tif 000005
【図５】
0004512756.tif 000006
【図６】
0004512756.tif 000007